(57)【要約】  携帯端末（８０）は、通信回線を通じて送受信可能な製品をユーザが利用する情報処理装置に配信する配信システムであって、ユーザまたはそのユーザが利用する情報処理装置を識別する第一識別情報を保持する記憶部（８１）を含む。店頭端末（９０）は、商品を識別する商品識別情報を受信してその商品が購入可能になったことを示す第二識別情報を発行する発行サーバに対して、ユーザによって商品が購入されたことを検知したときにその商品を識別する商品識別情報を送信して、発行サーバからの第二識別情報を受信する制御部（９１）を含む。識別情報送信手段（７０）は、第一識別情報および第二識別情報を受信して第一識別情報により特定される情報処理装置に第二識別情報により特定される製品を配信する配信サーバに対して、第一識別情報と第二識別情報とを併せて送信する。
2016157242.tif 000002
【特許請求の範囲】
【請求項１】
通信回線を通じて送受信可能な商品をユーザが利用する情報処理装置に配信する配信システムであって、  ユーザまたは当該ユーザが利用する情報処理装置を識別する第一識別情報を保持する記憶部を含む携帯端末と、  商品を識別する商品識別情報を受信して当該商品が購入可能になったことを示す第二識別情報を発行する発行サーバに対して、ユーザによって商品が購入されたことを検知したときに当該商品を識別する商品識別情報を送信して、前記発行サーバからの第二識別情報を受信する制御部を含む店頭端末と、  前記第一識別情報および前記第二識別情報を受信して当該第一識別情報により特定される情報処理装置に当該第二識別情報により特定される商品を配信する配信サーバに対して、前記第一識別情報と前記第二識別情報とを併せて送信する識別情報送信手段とを備えた  ことを特徴とする配信システム。
【請求項２】
識別情報送信手段が携帯端末に含まれ、  店頭端末は、第二識別情報を出力する第二識別情報出力手段を含み、  前記携帯端末は、前記店頭端末から出力された第二識別情報を前記識別情報送信手段へ入力する第二識別情報入力手段を含み、  前記識別情報送信手段は、記憶部が保持する第一識別情報と入力された第二識別情報とを併せて配信サーバへ送信する  請求項１記載の配信システム。
【請求項３】
第二識別情報出力手段は、第二識別情報を印刷して出力し、  第二識別情報入力手段は、出力された第二識別情報を読み取る  請求項２記載の配信システム。
【請求項４】
識別情報送信手段が店頭端末に含まれ、  携帯端末は、第一識別情報を出力する第一識別情報出力手段を含み、  前記店頭端末は、前記携帯端末から出力された第一識別情報を入力する第一識別情報入力手段を含み、  前記識別情報送信手段は、第二識別情報と入力された第一識別情報とを併せて配信サーバへ送信する  請求項１記載の配信システム。
【請求項５】
店頭端末は、ユーザが購入予定の商品の商品識別情報を読み取る商品識別情報読取手段を含む  請求項１から請求項４のうちのいずれか１項に記載の配信システム。
【請求項６】
携帯端末は、ユーザが購入予定の商品の商品識別情報を表示する商品識別情報表示手段を含む  請求項１から請求項５のうちのいずれか１項に記載の配信システム。
【請求項７】
携帯端末は、第一識別情報を登録するための登録画面を表示する登録手段を含み、  前記登録手段は、前記登録画面に入力された第一識別情報を記憶部に記憶する  請求項１から請求項６のうちのいずれか１項に記載の配信システム。
【請求項８】
店頭端末は、商品が購入済みであることを識別する認証情報を受け付ける認証情報受付手段を含み、  店頭端末の制御部は、前記認証情報が入力された場合に、前記商品の商品識別情報を発行サーバに送信する  請求項１から請求項７のうちのいずれか１項に記載の配信システム。
【請求項９】
通信回線を通じて送受信可能な商品をユーザが利用する情報処理装置に配信する配信方法であって、  ユーザまたは当該ユーザが利用する情報処理装置を識別する第一識別情報を保持する携帯端末が、当該第一識別情報を識別情報送信手段に入力し、  店頭端末が、商品を識別する商品識別情報を受信して当該商品が購入可能になったことを示す第二識別情報を発行する発行サーバに対して、ユーザによって商品が購入されたことを検知したときに当該商品を識別する商品識別情報を送信して、前記発行サーバからの第二識別情報を受信し、  前記店頭端末が、前記第二識別情報を前記識別情報送信手段に入力し、  前記識別情報送信手段が、前記第一識別情報および前記第二識別情報を受信して当該第一識別情報により特定される情報処理装置に当該第二識別情報により特定される商品を配信する配信サーバに対して、前記第一識別情報と前記第二識別情報とを併せて送信する  ことを特徴とする配信方法。
【請求項１０】
店頭端末が、第二識別情報を出力し、  携帯端末が、前記店頭端末から出力された第二識別情報を、自携帯端末に含まれる識別情報送信手段へ入力し、  前記識別情報送信手段は、記憶部が保持する第一識別情報と入力された第二識別情報とを併せて配信サーバへ送信する  請求項９記載の配信方法。
【請求項１１】
識別情報送信手段が店頭端末に含まれ、  携帯端末が、第一識別情報を出力し、  店頭端末が、前記携帯端末から出力された第一識別情報を、自携帯端末に含まれる識別情報送信手段へ入力し、  前記識別情報送信手段は、第二識別情報と入力された第一識別情報とを併せて配信サーバへ送信する  請求項９記載の配信方法。
【請求項１２】
通信回線を通じて送受信可能な商品をユーザが利用する情報処理装置に配信する指示を行うコンピュータに適用される配信指示プログラムであって、  前記コンピュータに、  ユーザまたは当該ユーザが利用する情報処理装置を識別する第一識別情報を保持する携帯端末から、当該第一識別情報を受信する第一識別情報受信処理、  商品を識別する商品識別情報を受信して当該商品が購入可能になったことを示す第二識別情報を発行する発行サーバに対して、ユーザによって商品が購入されたことを検知したときに当該商品を識別する商品識別情報を送信して、前記発行サーバからの第二識別情報を受信する店頭端末から、当該第二識別情報を受信する第二識別情報受信処理、および、  前記第一識別情報により特定される情報処理装置に前記第二識別情報により特定される商品を配信する配信サーバに対して、受信した第一識別情報および第二識別情報を併せて送信する識別情報送信処理  を実行させるための配信指示プログラム。
【発明の詳細な説明】
【技術分野】
【０００１】  本発明は、通信回線を通じて送受信可能な商品を配信するための配信システム、配信方法および配信指示プログラムに関する。
【背景技術】
【０００２】  近年、コンビニエンスストアなどでは、ソフトウェアパッケージを陳列する代わりに、ソフトウェアをダウンロードするためのカードや、商品を購入するための電子マネー用カードが販売されている。このような販売形態では、カードに番号が記載され、店頭のＰＯＳ（Point of sale ）システムでその番号をアクティベート（活性化）することにより、その番号を使用したソフトウェアのダウンロードや電子マネーの追加が可能になる。【０００３】  一方、そのような販売形態以外にも、購入したい商品を直接店頭端末から受信する方法も提案されている。特許文献１には、コンビニエンスストア等に設置された店頭端末と商品購入者が使用する携帯端末との間で無線データ通信を行うことにより商品を購入可能とする商品購入システムが記載されている。特許文献１に記載されたシステムでは、携帯端末が商品の申し込みに必要なデータを店頭端末に送信すると、店頭端末は携帯端末に商品引換え用データを送信するとともに、センタ処理装置に商品を発注する。そして、センタ処理装置から商品が店頭端末に送信されると、店頭端末は携帯端末に対して商品を送信する。
【先行技術文献】
【特許文献】
【０００４】
【特許文献１】特開２００３−２１６８３２号公報
【発明の概要】
【発明が解決しようとする課題】
【０００５】  一方、カード番号をアクティベートする販売形態では、番号の記載されたカードを購入後、その番号を逐次入力しなければならず、購入後の処理が煩雑という問題がある。また、そもそもこのような販売形態の導入には、ＰＯＳシステム自体の改修など、多くのコストがかかってしまうという問題もある。【０００６】  また、特許文献１に記載されたシステムでは、購入した商品は店頭端末から送信される。そのため、商品を購入するたびに、その商品をダウンロードする情報処理装置を店頭に持参しなければならない。携帯電話機のように常に携帯している装置ならまだしも、通常携帯しない装置向けの商品を購入したい場合でも、その装置を店頭に持参しなければならないという問題がある。【０００７】  そこで、本発明は、商品購入時のユーザの処理負担を軽減させることができる配信システム、配信方法および配信指示プログラムを提供することを目的とする。
【課題を解決するための手段】
【０００８】  本発明による配信システムは、通信回線を通じて送受信可能な商品をユーザが利用する情報処理装置に配信する配信システムであって、ユーザまたはそのユーザが利用する情報処理装置を識別する第一識別情報を保持する記憶部を含む携帯端末と、商品を識別する商品識別情報を受信してその商品が購入可能になったことを示す第二識別情報を発行する発行サーバに対して、ユーザによって商品が購入されたことを検知したときにその商品を識別する商品識別情報を送信して、発行サーバからの第二識別情報を受信する制御部を含む店頭端末と、第一識別情報および第二識別情報を受信してその第一識別情報により特定される情報処理装置に第二識別情報により特定される商品を配信する配信サーバに対して、第一識別情報と第二識別情報とを併せて送信する識別情報送信手段を備えたことを特徴とする。【０００９】  本発明による配信方法は、通信回線を通じて送受信可能な商品をユーザが利用する情報処理装置に配信する配信方法であって、ユーザまたはそのユーザが利用する情報処理装置を識別する第一識別情報を保持する携帯端末が、その第一識別情報を識別情報送信手段に入力し、店頭端末が、商品を識別する商品識別情報を受信してその商品が購入可能になったことを示す第二識別情報を発行する発行サーバに対して、ユーザによって商品が購入されたことを検知したときにその商品を識別する商品識別情報を送信して、発行サーバからの第二識別情報を受信し、店頭端末が、第二識別情報を識別情報送信手段に入力し、識別情報送信手段が、第一識別情報および第二識別情報を受信してその第一識別情報により特定される情報処理装置に第二識別情報により特定される商品を配信する配信サーバに対して、第一識別情報と第二識別情報とを併せて送信することを特徴とする。【００１０】  本発明による配信指示プログラムは、通信回線を通じて送受信可能な商品をユーザが利用する情報処理装置に配信する指示を行うコンピュータに適用される配信指示プログラムであって、コンピュータに、ユーザまたはそのユーザが利用する情報処理装置を識別する第一識別情報を保持する携帯端末から、その第一識別情報を受信する第一識別情報受信処理、商品を識別する商品識別情報を受信してその商品が購入可能になったことを示す第二識別情報を発行する発行サーバに対して、ユーザによって商品が購入されたことを検知したときにその商品を識別する商品識別情報を送信して、発行サーバからの第二識別情報を受信する店頭端末から、第二識別情報を受信する第二識別情報受信処理、および、第一識別情報により特定される情報処理装置に第二識別情報により特定される商品を配信する配信サーバに対して、受信した第一識別情報および第二識別情報を併せて送信する識別情報送信処理を実行させることを特徴とする。
【発明の効果】
【００１１】  本発明によれば、商品購入時のユーザの処理負担を軽減させることができる。
【図面の簡単な説明】
【００１２】
【図１】本発明による配信システムの第１の実施形態の構成例を示すブロック図である。
【図２】認証情報を入力する画面の例を示す説明図である。
【図３】購入許可情報の印刷例を示す説明図である。
【図４】ユーザ端末情報を登録する画面の例を示す説明図である。
【図５】表示される商品識別情報の例を示す説明図である。
【図６】第１の実施形態の配信システムの動作例を示すフローチャートである。
【図７】本発明による配信システムの第２の実施形態の構成例を示すブロック図である。
【図８】出力されるユーザ端末情報の例を示す説明図である。
【図９】第２の実施形態の配信システムの動作例を示すフローチャートである。
【図１０】本発明による配信システムの第２の実施形態の第１の変形例を示すブロック図である。
【図１１】本発明による配信システムの第２の実施形態の第２の変形例を示すブロック図である。
【図１２】本発明の配信システムの概要を示すブロック図である。
【発明を実施するための形態】
【００１３】  以下、本発明の実施形態を図面を参照して説明する。本発明は、通信回線を通じて送受信可能な商品を、ユーザが利用する情報処理装置（例えば、携帯端末、ゲーム機端末など）に配信するものである。商品の一例として、ソフトウェア、ゲーム、音楽、画像、動画、電子書籍、情報サービスなどが挙げられる。ただし、本発明で対象とする商品は、上述する例に限定されず、通信回線を通じて送受信可能なものであればよく、その内容は任意である。
【００１４】実施形態１．  図１は、本発明による配信システムの第１の実施形態の構成例を示すブロック図である。本実施形態の配信システムは、店頭端末１０と、携帯端末２０と、配信サーバ５０と、発行サーバ６１とを備えている。
【００１５】  店頭端末１０と、携帯端末２０と、配信サーバ５０とは、通信ネットワーク網を介して相互に通信が可能である。また、店頭端末１０と携帯端末２０とは、例えば、赤外線や無線ＬＡＮ（Local Area Network）、ＮＦＣ（Near Field Communication）などの近距離無線通信によりデータの送受信が行われてもよい。
【００１６】  また、配信サーバ５０は、情報処理装置６０と通信ネットワーク網を介して相互に通信が可能である。図１に示す例では、情報処理装置６０が１台のみ記載されているが、情報処理装置６０の数は１台に限定されず、２台以上であってもよい。
【００１７】  発行サーバ６１は、商品を識別する情報（以下、商品識別情報と記す。）を店頭端末１０から受信すると、その商品が購入されたと判断し、その商品が購入可能になったことを示す情報（以下、購入許可情報と記す。）を発行する。そして、発行サーバ６１は、商品識別情報の送信元（店頭端末１０）に購入許可情報を返信する。また、発行サーバ６１は、店頭端末１０と通信ネットワーク網を介して相互に接続される。
【００１８】  本実施形態では、生成された購入許可情報をもとにソフトウェア等のダウンロードが行えるようになるため、購入許可情報は、例えば、ダウンロード番号などにより実現されてもよい。具体的には、発行サーバ６１は、例えば、商品ごとに複数のダウンロード番号を購入許可情報として記憶しておき、商品識別情報の受信に応じて、対応する商品のダウンロード番号を順次払い出してもよい。
【００１９】  なお、図１では、発行サーバ６１と配信サーバ５０とが別の装置で実現されている場合を例示しているが、発行サーバ６１と配信サーバ５０とが、同一の装置で実現されていてもよい。
【００２０】  店頭端末１０は、商品識別情報入力部１１と、購入認証情報入力部１２と、購入許可情報取得部１３と、購入許可情報出力部１４とを含む。店頭端末１０は、既存のＰＯＳシステムに組み込まれて実現されていてもよく、ＰＯＳシステムに含まれない装置で実現されていてもよい。店頭端末１０を既存のＰＯＳシステムとは別の装置で実現することにより、既存のシステムの改修をすることなく、本実施形態の配信システムを利用できる。
【００２１】  本実施形態では、店頭端末１０は、例えば、タブレット端末など既存のＰＯＳシステムとは別に設けられ、店頭のレジスタの近くに設置されるものとする。
【００２２】  商品識別情報入力部１１は、ユーザが購入しようとする商品を識別するための情報（すなわち、商品識別情報）を入力する。例えば、バーコードで商品が識別可能な場合、商品識別情報入力部１１は、そのバーコードを読み取るバーコードリーダにより実現されてもよい。また、商品識別情報入力部１１は、タッチパネルやキーボードを介して商品名や商品を識別する情報を受け付け、受け付けた情報を入力してもよい。
【００２３】  商品識別情報の入力態様は任意である。バーコードが印字された商品内容を示すカードが店頭に陳列されている場合、商品識別情報入力部１１は、購入者が持参したカードのバーコードを読み取って商品識別情報を入力してもよい。
【００２４】  また、店頭に設置されたデジタルサイネージを介して購入商品の識別情報を印刷できる場合、商品識別情報入力部１１は、購入者が印刷したバーコードなどを読み取って商品識別情報を入力してもよい。
【００２５】  また、後述する携帯端末２０の商品識別情報表示部２５が購入商品のバーコードを表示した場合、商品識別情報入力部１１は、購入者が表示させたバーコードを読み取って商品識別情報を入力してもよい。
【００２６】  購入認証情報入力部１２は、商品が購入されたことを認証する情報（以下、認証情報と記す。）を入力する。例えば、購入者による支払いが完了した時に、店員が購入認証情報入力部１２を介して認証情報を入力してもよい。また、例えば、既存のＰＯＳシステムから商品の決済情報を受信できる場合、購入認証情報入力部１２は、その決済情報に基づいて、認証情報を入力してもよい。
【００２７】  図２は、認証情報を入力する画面の例を示す説明図である。例えば、商品識別情報入力部１１により表示される購入画面Ｓ１を介して購入者が商品識別情報を入力すると、購入認証情報入力部１２が、認証画面Ｓ２を表示する。そして、店員により商品が購入されたことを認証する情報（認証情報）としてパスワードが認証画面Ｓ２に入力されると、購入認証情報入力部１２は、パスワードの妥当性を判断して、認証情報が適切であるか否か判断する。
【００２８】  購入許可情報取得部１３は、購入認証情報入力部１２に適切な認証情報が入力されたことを検知すると、ユーザによって商品が購入されたと判断し、その商品の商品識別情報を発行サーバ６１に送信して、発行サーバ６１から購入許可情報を受信する。
【００２９】  購入許可情報取得部１３は、例えば、購入許可情報を暗号化して新たな文字列を生成し、その文字列を購入許可情報としてもよい。また、購入許可情報取得部１３は、受信した購入許可情報に基づいてＱＲコード（日本国における登録商標）を生成してもよい。
【００３０】  購入許可情報出力部１４は、購入許可情報取得部１３が取得した購入許可情報を出力する。購入許可情報出力部１４は、例えば、購入許可情報を店頭端末１０の表示部（図示せず）に表示してもよく、接続されたプリンタ（図示せず）に購入許可情報の印刷を指示してもよい。購入許可情報を印刷することにより、購入者以外のユーザにも購入許可情報を提供できるため、印刷された購入許可情報はギフトとして利用することが可能になる。また、購入許可情報出力部１４は、近距離無線通信により、または、通信ネットワーク網を介して購入許可情報を送信してもよい。
【００３１】  図３は、購入許可情報の印刷例を示す説明図である。図３に示す例では、ＱＲコードと共に商品をダウンロードするためのダウンロード番号が記載されていることを示す。
【００３２】  携帯端末２０は、購入許可情報入力部２１と、配信識別情報送信部２２と、記憶部２３と、ユーザ端末情報登録部２４と、商品識別情報表示部２５とを含む。携帯端末２０は、例えば、携帯電話機やタブレット端末などにより実現される。
【００３３】  購入許可情報入力部２１は、購入許可情報出力部１４から出力された購入許可情報を配信識別情報送信部２２に入力する。例えば、購入許可情報出力部１４が購入許可情報を店頭端末１０の表示部（図示せず）に表示している場合や印刷している場合、購入許可情報入力部２１は、その購入許可情報を読み取るリーダ（例えば、バーコードリーダ、ＱＲコードリーダ、ＯＣＲ（Optical Character Reader））で実現されていてもよい。
【００３４】  また、例えば、購入許可情報出力部１４が購入許可情報を通信網を介して送信している場合、購入許可情報入力部２１は、その送信情報を受信するネットワークインタフェースにより実現されていてもよい。
【００３５】  記憶部２３は、購入された商品のユーザ、または、そのユーザが利用する情報処理装置を識別する情報（以下、ユーザ端末情報と記す。）を保持する。購入者とユーザは同一であってもよく異なっていてもよい。後述する配信サーバ５０が、ユーザごとに情報処理装置の識別情報およびその情報処理装置の宛先を保持している場合、ユーザ端末情報は、ユーザを識別する情報であってもよい。また、配信サーバ５０が、情報処理装置の識別情報とその情報処理装置の宛先とを関連付けて保持している場合、ユーザ端末情報は、ユーザが利用する情報処理装置を識別する情報であってもよい。
【００３６】  ユーザ端末情報登録部２４は、ユーザ端末情報を記憶部２３に登録する。なお、ここで登録されるユーザ端末情報は、後述する配信サーバ５０が保持しているユーザ端末情報と同一の情報である。
【００３７】  図４は、ユーザ端末情報を登録する画面の例を示す説明図である。図４に示す例では、ユーザ端末情報登録部２４が図４に例示する登録画面Ｓ３を表示し、ユーザからユーザ端末情報の入力を受け付けていることを示す。登録画面Ｓ３の登録ボタンＢ１が押下されると、ユーザ端末情報登録部２４は、入力されたユーザ端末情報を記憶部２３に登録する。
【００３８】  配信識別情報送信部２２は、記憶部２３が保持するユーザ端末情報と、入力された購入許可情報とを併せて配信サーバ５０へ送信し、情報処理装置６０への商品の配信を依頼する。配信識別情報送信部２２は、例えば、配信サーバ５０へ配信を依頼する際のＨＴＴＰ（Hypertext Transfer Protocol ）リクエストまたはＨＴＴＰＳ（HTTP Secure ）リクエストのパラメータ（ＧＥＴまたはＰＯＳＴ）に、ユーザ端末情報および購入許可情報を含めて送信してもよい。また、配信識別情報送信部２２は、送信するユーザ端末情報および購入許可情報を暗号化してから配信サーバ５０へ送信してもよく、必要に応じて、ユーザ端末情報および購入許可情報の一部または全部を編集してから配信サーバ５０へ送信してもよい。
【００３９】  なお、購入許可情報出力部１４から出力された購入許可情報が購入許可情報入力部２１を介して配信識別情報送信部２２に入力されるため、店頭端末１０が、購入許可情報を配信識別情報送信部２２に入力していると言うことができる。また、配信識別情報送信部２２は、ユーザ端末情報を記憶部２３から読み取っていることから、携帯端末２０は、ユーザ端末情報を配信識別情報送信部２２に入力していること言うことができる。
【００４０】  商品識別情報表示部２５は、商品識別情報入力部１１に入力するための商品識別情報を表示する。商品識別情報表示部２５は、例えば、商品紹介のＷｅｂページから、商品の情報（例えば、バーコードなど）を取得し、取得した情報を商品識別情報として表示してもよい。また、商品ごとの商品識別情報を記憶部２３に記憶しておき、商品識別情報表示部２５は、ユーザにより選択された商品の商品識別情報を表示してもよい。
【００４１】  図５は、商品識別情報表示部２５が表示する商品識別情報の例を示す説明図である。図５に示す例では、商品識別情報表示部２５が商品の名称およびイメージと、商品識別情報としてのバーコードを併せて表示していることを示す。商品識別情報表示部２５が商品識別情報を表示することで、店頭に陳列されていない商品についても購入することが可能になり、また、購入者が購入したい商品を事前に検討することも可能になる。
【００４２】  配信サーバ５０は、記憶部５１と、制御部５２とを含む。配信サーバは、例えば、商品を取り扱う会社が管理し、配信対象の商品を記憶する。
【００４３】  記憶部５１は、ユーザ端末情報に対応する情報処理装置の情報と、その情報処理装置の宛先を関連付けて記憶する。ユーザ端末情報が各ユーザを識別する情報の場合、記憶部５１は、ユーザ端末情報に対応付けて、ユーザが利用する各装置とそれぞれの宛先を記憶してもよい。また、ユーザ端末情報がユーザの利用する情報処理装置を識別する情報の場合、記憶部５１は、ユーザ端末情報ごとに、識別される情報処理装置の宛先を記憶してもよい。
【００４４】  なお、記憶部５１が記憶する情報処理装置の情報は、ユーザが利用する装置の情報に限られず、例えば、ユーザが保有する装置の情報やユーザが購入した装置の情報であってもよい。なお、ユーザごとに情報処理装置および宛先を管理するほうが、ユーザの情報を一元管理できるため、より好ましい。
【００４５】  制御部５２は、ユーザ端末情報および購入許可情報を受信すると、受信したユーザ端末情報により特定される情報処理装置６０に対して、購入許可情報により特定される商品を配信する。具体的には、制御部５２は、記憶部５１を参照して、ユーザ端末情報に対応する情報処理装置の宛先を特定する。また、制御部５２は、購入許可情報から商品識別情報を抽出して商品を特定する。なお、各ユーザが複数の情報処理装置を有する場合、制御部５２は、各商品に対応する情報処理装置６０を特定して商品を配信すればよい。
【００４６】  商品識別情報入力部１１と、購入認証情報入力部１２と、購入許可情報取得部１３と、購入許可情報出力部１４とは、プログラム（購入許可情報生成プログラム）に従って動作するコンピュータのＣＰＵによって実現される。例えば、プログラムは、店頭端末１０の記憶部（図示せず）に記憶され、ＣＰＵは、そのプログラムを読み込み、プログラムに従って、商品識別情報入力部１１、購入認証情報入力部１２、購入許可情報取得部１３および購入許可情報出力部１４として動作してもよい。また、商品識別情報入力部１１と、購入認証情報入力部１２と、購入許可情報取得部１３と、購入許可情報出力部１４とは、それぞれが専用のハードウェアで実現されていてもよい。
【００４７】  同様に、購入許可情報入力部２１と、配信識別情報送信部２２と、ユーザ端末情報登録部２４と、商品識別情報表示部２５とは、プログラム（配信指示プログラム）に従って動作するコンピュータのＣＰＵによって実現される。購入許可情報入力部２１、配信識別情報送信部２２、ユーザ端末情報登録部２４および商品識別情報表示部２５が、一つのアプリケーションとして実現され、各ユーザが必要に応じてこのアプリケーションを携帯端末２０にダウンロードして使用してもよい。
【００４８】  また、購入許可情報入力部２１と、配信識別情報送信部２２と、ユーザ端末情報登録部２４と、商品識別情報表示部２５とは、それぞれが専用のハードウェアで実現されていてもよい。また、記憶部２３は、メモリ装置や磁気ディスク装置等により実現される。
【００４９】  同様に、制御部５２は、プログラム（配信用プログラム）に従って動作するコンピュータのＣＰＵによって実現される。また、記憶部５１は、磁気ディスク装置やストレージサーバなどにより実現される。
【００５０】  次に、本実施形態の配信システムの動作を説明する。図６は、第１の実施形態の配信システムの動作例を示すフローチャートである。本動作例では、ユーザ端末情報は既に記憶部２３に記憶されているものとし、商品識別情報としてバーコードが印刷された媒体を購入者が商品識別情報入力部１１に読み込ませるものとする。
【００５１】  店頭端末１０の商品識別情報入力部１１は、印刷されたバーコードを読み取って、商品識別情報を購入許可情報取得部１３に入力する（ステップＳ１１）。また、購入認証情報入力部１２は、商品識別情報が入力されると認証情報の入力を待機する。購入認証情報入力部１２は、適切な認証情報が入力されたと判断すると、入力された認証情報を購入許可情報取得部１３に入力する（ステップＳ１２）。
【００５２】  購入許可情報取得部１３は、購入認証情報入力部１２に適切な認証情報が入力されたことを検知すると、発行サーバ６１に商品識別情報を送信して購入許可情報を取得する（ステップＳ１３）。そして、購入許可情報出力部１４は、購入許可情報取得部１３が取得した購入許可情報を出力する（ステップＳ１４）。ここでは、購入許可情報出力部１４は、購入許可情報に基づいて生成されたＱＲコードを印字したチケットを発行したものとする。
【００５３】  購入許可情報が出力されると、ユーザは、印字されたチケットのＱＲコードを携帯端末２０で読み取る。具体的には、携帯端末２０の購入許可情報入力部２１は、ＱＲコードを読み取ることにより、購入許可情報を配信識別情報送信部２２に入力する（ステップＳ１５）。
【００５４】  配信識別情報送信部２２は、記憶部２３が保持するユーザ端末情報と、入力された購入許可情報とを併せて配信サーバ５０へ送信し、情報処理装置６０への商品の配信を依頼する（ステップＳ１６）。
【００５５】  配信サーバ５０がユーザ端末情報および購入許可情報を受信すると、制御部５２は、受信したユーザ端末情報により特定される情報処理装置６０に対して、購入許可情報により特定される商品を配信する（ステップＳ１７）。
【００５６】  以上のように、本実施形態では、ユーザ端末情報を保持する携帯端末２０が、そのユーザ端末情報を配信識別情報送信部２２に入力する。また、商品が購入されたことを購入認証情報入力部１２が検知して、購入許可情報取得部１３が、その商品の商品識別情報を発行サーバ６１に送信して購入許可情報を受信し、購入許可情報出力部１４が、その購入許可情報を配信識別情報送信部２２（より具体的には、携帯端末２０）に入力する。そして、配信識別情報送信部２２が、情報処理装置６０に商品を配信する配信サーバ５０に対して、ユーザ端末情報と購入許可情報とを併せて送信する。そのような構成により、商品購入時のユーザの処理負担を軽減させることができる。
【００５７】  なお、第１の実施形態では、配信識別情報送信部２２が携帯端末２０に含まれる。そこで、店頭端末１０の購入許可情報出力部１４が購入許可情報を出力し、携帯端末２０の購入許可情報入力部２１が、出力された購入許可情報を配信識別情報送信部２２へ入力する。そして、配信識別情報送信部２２は、記憶部２３が保持するユーザ端末情報と入力された購入許可情報とを併せて配信サーバ５０へ送信する。そのような構成であっても、商品購入時のユーザの処理負担を軽減させることができる。
【００５８】  具体的には、本実施形態では、配信サーバ５０がユーザ端末情報と購入許可情報とを受信すると、特定された情報処理装置６０に商品が自動的に配信されるため、商品購入後の手間を削減できる。また、店頭端末１０が既存のＰＯＳシステムに影響を及ぼさないため、本実施形態の配信システムが容易に導入可能である。
【００５９】  また、ユーザ端末情報を管理するのは１台の携帯端末２０でよいため、各情報処理装置６０に必要なアプリケーション等を導入する必要がない。また、商品購入時に用いる携帯端末２０と情報処理装置６０とは、必ずしも一致する必要がないため、商品の購入ごとに情報処理装置を店頭に持参する必要もない。
【００６０】  また、本実施形態では、購入認証情報入力部１２が適切な認証情報を入力した場合に、購入許可情報取得部１３が商品識別情報を発行サーバ６１に送信して購入許可情報を取得する。そのため、許可なく購入許可情報が生成されることを抑制できる。
【００６１】実施形態２．  図７は、本発明による配信システムの第２の実施形態の構成例を示すブロック図である。なお、第１の実施形態と同様の構成については、図１と同一の符号を付し、説明を省略する。本実施形態の配信システムは、店頭端末３０と、携帯端末４０と、配信サーバ５０と、発行サーバ６１とを備えている。
【００６２】  店頭端末３０と、携帯端末４０と、配信サーバ５０とは、第１の実施形態と同様、通信ネットワーク網を介して相互に通信が可能であり、店頭端末３０と発行サーバ６１とは、通信ネットワーク網を介して相互に通信が可能である。また、店頭端末３０と携帯端末４０とは、近距離無線通信によりデータの送受信が行われてもよい。
【００６３】  携帯端末４０は、ユーザ端末情報出力部４１と、記憶部２３と、ユーザ端末情報登録部２４と、商品識別情報表示部２５とを含む。すなわち、本実施形態の携帯端末４０は、購入許可情報入力部２１および配信識別情報送信部２２の代わりに、ユーザ端末情報出力部４１を含む点において、第１の実施形態の携帯端末２０と異なる。それ以外の構成は、第１の実施形態と同様である。携帯端末４０は、例えば、携帯電話機やタブレット端末などにより実現される。
【００６４】  ユーザ端末情報出力部４１は、ユーザ端末情報を出力する。具体的には、ユーザ端末情報出力部４１は、記憶部２３に記憶されたユーザ端末情報を読み取り、店頭端末３０に対して出力する。ユーザ端末情報出力部４１は、ユーザ端末情報を示す文字列を表示してもよく、ユーザ端末情報に基づいてバーコードを生成し、生成したバーコードを出力してもよい。図８は、出力されるユーザ端末情報の例を示す説明図である。図８に示す例では、ユーザ端末情報をバーコード化して表示していることを示す。
【００６５】  ユーザ端末情報出力部４１は、例えば、ユーザ端末情報を携帯端末４０の表示部（図示せず）に表示してもよく、近距離無線通信により、または、通信ネットワーク網を介してユーザ端末情報を送信してもよい。
【００６６】  店頭端末３０は、商品識別情報入力部１１と、購入認証情報入力部１２と、購入許可情報取得部１３と、ユーザ端末情報入力部３１と、配信識別情報送信部３２とを含む。すなわち、本実施形態の店頭端末３０は、購入許可情報出力部１４の代わりに、ユーザ端末情報入力部３１および配信識別情報送信部３２を含む点において、第１の実施形態の店頭端末１０と異なる。それ以外の構成は、第１の実施形態と同様である。店頭端末３０は、既存のＰＯＳシステムに組み込まれて実現されていてもよく、ＰＯＳシステムに含まれない装置で実現されていてもよい。
【００６７】  ユーザ端末情報入力部３１は、携帯端末４０から出力されたユーザ端末情報を配信識別情報送信部３２に入力する。例えば、ユーザ端末情報出力部４１がユーザ端末情報を携帯端末４０の表示部（図示せず）に表示している場合、ユーザ端末情報入力部３１は、そのユーザ端末情報を読み取るリーダ（例えば、バーコードリーダ）で実現されていてもよい。
【００６８】  また、例えば、ユーザ端末情報出力部４１がユーザ端末情報を通信網を介して送信している場合、ユーザ端末情報入力部３１は、その送信情報を受信するネットワークインタフェースにより実現されていてもよい。
【００６９】  配信識別情報送信部３２は、購入許可情報取得部１３が取得した購入許可情報と、入力されたユーザ端末情報とを併せて配信サーバ５０へ送信し、情報処理装置６０への商品の配信を依頼する。なお、配信識別情報送信部３２が購入許可情報およびユーザ端末情報を配信サーバ５０へ送信する方法は、配信識別情報送信部２２が送信する方法と同様である。
【００７０】  なお、ユーザ端末情報出力部４１から出力されたユーザ端末情報がユーザ端末情報入力部３１を介して配信識別情報送信部３２に入力されるため、携帯端末４０が、ユーザ端末情報を配信識別情報送信部３２に入力していると言うことができる。また、配信識別情報送信部３２は、購入許可情報を購入許可情報取得部１３から入力されていることから、店頭端末３０は、購入許可情報を配信識別情報送信部３２に入力していること言うことができる。
【００７１】  商品識別情報入力部１１と、購入認証情報入力部１２と、購入許可情報取得部１３と、ユーザ端末情報入力部３１と、配信識別情報送信部３２とは、プログラム（配信指示プログラム）に従って動作するコンピュータのＣＰＵによって実現される。商品識別情報入力部１１と、購入認証情報入力部１２と、購入許可情報取得部１３と、ユーザ端末情報入力部３１と、配信識別情報送信部３２とは、それぞれが専用のハードウェアで実現されていてもよい。
【００７２】  同様に、ユーザ端末情報出力部４１と、ユーザ端末情報登録部２４と、商品識別情報表示部２５とは、プログラム（ユーザ端末情報出力プログラム）に従って動作するコンピュータのＣＰＵによって実現される。ユーザ端末情報出力部４１、ユーザ端末情報登録部２４および商品識別情報表示部２５が、一つのアプリケーションとして実現され、各ユーザが必要に応じてこのアプリケーションを携帯端末４０にダウンロードして使用してもよい。また、ユーザ端末情報出力部４１と、ユーザ端末情報登録部２４と、商品識別情報表示部２５とは、それぞれが専用のハードウェアで実現されていてもよい。
【００７３】  次に、本実施形態の配信システムの動作を説明する。図９は、第２の実施形態の配信システムの動作例を示すフローチャートである。本動作例でも、ユーザ端末情報は既に記憶部２３に記憶されているものとし、商品識別情報としてバーコードが印刷された媒体を購入者が商品識別情報入力部１１に読み込ませるものとする。また、商品識別情報から購入許可情報が取得されるまでのステップＳ１１からステップＳ１３までの処理は、図６に例示する処理と同様である。
【００７４】  一方、ユーザは携帯端末４０を操作することで、ユーザ端末情報出力部４１は、記憶部２３に記憶されたユーザ端末情報を読み取って出力する（ステップＳ２１）。ここでは、ユーザ端末情報出力部４１は、ユーザ端末情報に基づいて生成されたバーコードを携帯端末４０に表示したものとする。
【００７５】  ユーザ端末情報が出力されると、ユーザは、表示されたバーコードを店頭端末３０に読み取らせる。具体的には、店頭端末３０のユーザ端末情報入力部３１は、バーコードを読み取ることにより、ユーザ端末情報を配信識別情報送信部３２に入力する（ステップＳ２２）。
【００７６】  配信識別情報送信部３２は、購入許可情報取得部１３が取得した購入許可情報と、入力されたユーザ端末情報とを併せて配信サーバ５０へ送信し、情報処理装置６０への商品の配信を依頼する（ステップＳ２３）。以降、配信サーバ５０が情報処理装置６０に商品を配信するステップＳ１７の処理は、図６に例示する処理と同様である。
【００７７】  以上のように、本実施形態では、ユーザ端末情報出力部４１がユーザ端末情報を出力することにより、ユーザ端末情報入力部３１を介してユーザ識別情報を配信識別情報送信部３２に入力する。また、商品が購入されたことを購入認証情報入力部１２が検知して、購入許可情報取得部１３が、その商品の商品識別情報を発行サーバ６１に送信し購入許可情報を受信して、配信識別情報送信部３２に入力する。そして、配信識別情報送信部３２が、情報処理装置６０に商品を配信する配信サーバ５０に対して、ユーザ端末情報と購入許可情報とを併せて送信する。そのような構成によっても、商品購入時のユーザの処理負担を軽減させることができる。
【００７８】  なお、第２の実施形態では、配信識別情報送信部３２が店頭端末３０に含まれる。そこで、携帯端末４０のユーザ端末情報出力部４１がユーザ端末情報を出力し、店頭端末３０のユーザ端末情報入力部３１が、出力されたユーザ端末情報を配信識別情報送信部３２へ入力する。そして、配信識別情報送信部３２は、入力されたユーザ端末情報と生成された購入許可情報とを併せて配信サーバ５０へ送信する。そのような構成であっても、商品購入時のユーザの処理負担を軽減させることができる。
【００７９】  次に、第２の実施形態の第１の変形例を説明する。第１の変形例では、商品が購入されたことが認証された後、購入許可情報を取得せずにユーザ端末情報と商品識別情報とを直接配信サーバに送信する方法を説明する。
【００８０】  図１０は、本発明による配信システムの第２の実施形態の第１の変形例を示すブロック図である。なお、第２の実施形態と同様の構成については、図７と同一の符号を付し、説明を省略する。本変形例の配信システムは、店頭端末３０ａと、携帯端末４０と、配信サーバ５０ａとを備えている。携帯端末４０の構成は、第２の実施形態と同様である。一方、本変形例の配信システムは、発行サーバ６１を備えていない点において、第２の実施形態と異なる。
【００８１】  店頭端末３０ａは、商品識別情報入力部１１と、購入認証情報入力部１２と、ユーザ端末情報入力部３１と、配信識別情報送信部３２ａとを含む。すなわち、本変形例の店頭端末３０ａは、購入許可情報取得部１３を含まず、配信識別情報送信部３２の代わりに配信識別情報送信部３２ａを含む点において第２の実施形態と異なる。それ以外の構成は、第２の実施形態と同様である。
【００８２】  配信識別情報送信部３２ａは、購入認証情報入力部１２に適切な認証情報が入力されたことを検知すると、商品識別情報と、入力されたユーザ端末情報とを併せて配信サーバ５０ａへ送信し、情報処理装置６０への商品の配信を依頼する。すなわち、第２の実施形態と比較すると、商品識別情報自体が購入許可情報の役割を果たしていると言える。
【００８３】  なお、配信識別情報送信部３２ａが商品識別情報およびユーザ端末情報を配信サーバ５０へ送信する方法は、購入許可情報が商品識別情報に置き換わった以外は、配信識別情報送信部３２が送信する方法と同様である。
【００８４】  配信サーバ５０ａは、記憶部５１と、制御部５２ａとを含む。すなわち、本変形例の配信サーバ５０ａは、制御部５２の代わりに制御部５２ａを含む点において第２の実施形態と異なる。それ以外の構成は、第２の実施形態と同様である。
【００８５】  制御部５２ａは、ユーザ端末情報および商品識別情報を受信すると、受信したユーザ端末情報により特定される情報処理装置６０に対して、商品識別情報により特定される商品を配信する。すなわち、本変形例の配信システムでは、配信サーバ５０ａにユーザ端末情報および商品識別情報が送信されたことで、商品が購入されたと判断して商品を配信する。以上のような構成であっても、商品購入時のユーザの処理負担を軽減させることができる。
【００８６】  次に、第２の実施形態の第２の変形例を説明する。第２の変形例では、商品識別情報入力部１１に、商品識別情報とユーザ端末情報が併せて入力される方法を説明する。
【００８７】  図１１は、本発明による配信システムの第２の実施形態の第２の変形例を示すブロック図である。なお、第２の実施形態と同様の構成については、図７と同一の符号を付し、説明を省略する。本変形例の配信システムは、店頭端末３０ｂと、携帯端末４０ｂと、配信サーバ５０と、発行サーバ６１とを備えている。配信サーバ５０の構成は、第２の実施形態と同様である。
【００８８】  携帯端末４０ｂは、記憶部２３と、ユーザ端末情報登録部２４と、商品識別情報表示部２５ｂとを含む。すなわち、本実施形態の携帯端末４０ｂは、ユーザ端末情報出力部４１を含まず、商品識別情報表示部２５の代わりに、商品識別情報表示部２５ｂを含む点において、第２の実施形態の携帯端末４０ｂと異なる。それ以外の構成は、第２の実施形態と同様である。
【００８９】  商品識別情報表示部２５ｂは、商品識別情報入力部１１に入力するためのユーザ端末情報を表示する。このとき、商品識別情報表示部２５ｂは、商品識別情報入力部１１に入力するための商品識別情報を併せて表示してもよい。ただし、別途の方法で商品識別情報を特定できる場合、商品識別情報表示部２５ｂは、商品識別情報を表示しなくてもよい。
【００９０】  ユーザ端末情報を表示する方法は、ユーザ端末情報出力部４１がユーザ端末情報を表示する方法と同様である。また、商品識別情報を表示する方法は、商品識別情報表示部２５が商品識別情報を表示する方法と同様である。なお、商品識別情報表示部２５ｂは、商品識別情報およびユーザ端末情報を表示する代わりに、商品識別情報およびユーザ端末情報を含むデータを送信してもよい。
【００９１】  店頭端末３０ｂは、商品識別情報入力部１１ｂと、購入認証情報入力部１２と、購入許可情報取得部１３と、配信識別情報送信部３２とを含む。すなわち、本変形例の店頭端末３０ｂは、ユーザ端末情報入力部３１を含まず、商品識別情報入力部１１の代わりに商品識別情報入力部１１ｂを含む点において第２の実施形態と異なる。それ以外の構成は、第２の実施形態と同様である。
【００９２】  商品識別情報入力部１１ｂは、商品識別情報とユーザ端末情報の両方を入力する。例えば、商品識別情報表示部２５が商品識別情報およびユーザ端末情報の両方をバーコードで表示している場合、商品識別情報入力部１１は、そのバーコードを読み取って、購入許可情報取得部１３に入力してもよい。
【００９３】  また、例えば、店頭に陳列された商品カードとユーザ端末情報を表示する携帯端末４０ｂとが別々の場合、商品識別情報入力部１１ｂは、予め定めた順に応じてユーザ端末情報および商品識別情報を入力してもよい。
【００９４】  また、店頭に設置されたデジタルサイネージが商品識別情報入力部１１ｂの出力するユーザ端末情報を読み込める場合、そのデジタルサイネージがユーザ端末情報と商品識別情報の両方を印刷したチケットを発行してもよい。この場合、購入者は、このチケットを商品識別情報入力部１１ｂに入力してもよい。
【００９５】  以降、購入許可情報取得部１３は、商品識別情報を発行サーバ６１に送信して購入許可情報を取得し、配信識別情報送信部３２は、購入許可情報取得部１３が取得した購入許可情報と、商品識別情報入力部１１ｂに入力されたユーザ端末情報とを併せて配信サーバ５０へ送信する。
【００９６】  以上のような構成であっても、商品購入時のユーザの処理負担を軽減させることができる。特に、本変形例によれば、ユーザ（または購入者）の操作を減らすことができるため、よりユーザの処理負担を軽減させることができる。なお、第２の変形例でも、第１の変形例と同様に、商品識別情報とユーザ購入情報を配信サーバ５０に送信してもよい。
【００９７】  次に、本発明の概要を説明する。図１２は、本発明の配信システムの概要を示すブロック図である。本発明の配信システムは、通信回線を通じて送受信可能な商品（例えば、ソフトウェア、アプリケーション等）をユーザが利用する情報処理装置（例えば、情報処理装置６０）に配信する配信システムであって、ユーザまたはそのユーザが利用する情報処理装置を識別する第一識別情報（例えば、ユーザ端末情報）を保持する記憶部８１（例えば、記憶部２３）を含む携帯端末８０（例えば、携帯端末２０、携帯端末４０）と、商品を識別する商品識別情報を受信してその商品が購入可能になったことを示す第二識別情報（例えば、購入許可情報）を発行する発行サーバ（例えば、発行サーバ６１）に対して、ユーザによって商品が購入されたことを検知したときに（例えば、認証情報が購入認証情報入力部１２に入力されたときに）その商品を識別する商品識別情報を送信して、発行サーバからの第二識別情報を受信する制御部９１（例えば、購入許可情報取得部１３）を含む店頭端末９０（例えば、店頭端末１０、店頭端末３０）と、第一識別情報および第二識別情報を受信して第一識別情報により特定される情報処理装置に第二識別情報により特定される商品を配信する配信サーバ（例えば、配信サーバ５０）に対して、第一識別情報と第二識別情報とを併せて送信する識別情報送信手段７０（例えば、配信識別情報送信部２２、配信識別情報送信部２２）を備えている。
【００９８】  なお、携帯端末８０は、第一識別情報を識別情報送信手段７０に入力し、店頭端末９０は、第二識別情報を識別情報送信手段７０に入力すればよい。そのような構成により、商品購入時のユーザの処理負担を軽減させることができる。なお、識別情報送信手段７０は、携帯端末８０または店頭端末９０と一体になって実現されていてもよく、単体の装置（例えば、ＣＰＵを含む情報処理装置）で実現されていてもよい。
【００９９】  具体的には、識別情報送信手段７０が携帯端末８０に含まれ、店頭端末９０は、第二識別情報を出力する第二識別情報出力手段（例えば、購入許可情報出力部１４）を含み、携帯端末８０は、店頭端末９０から出力された第二識別情報を識別情報送信手段７０へ入力する第二識別情報入力手段（例えば、購入許可情報入力部２１）を含んでいてもよい。そして、識別情報送信手段７０は、記憶部８１が保持する第一識別情報と入力された第二識別情報とを併せて配信サーバへ送信してもよい。
【０１００】  このとき、第二識別情報出力手段は、第二識別情報（例えば、ＱＲコード）を印刷して出力し、第二識別情報入力手段は、出力された第二識別情報を読み取ってもよい。このようにすることで、出力された第二識別情報をギフトとして利用することが可能になる。
【０１０１】  一方、識別情報送信手段７０が店頭端末９０に含まれ、携帯端末８０は、第一識別情報を出力する第一識別情報出力手段（例えば、ユーザ端末情報出力部４１）を含み、店頭端末９０は、携帯端末８０から出力された第一識別情報を入力する第一識別情報入力手段（例えば、ユーザ端末情報入力部３１）を含んでいてもよい。そして、識別情報送信手段７０は、第二識別情報と入力された第一識別情報とを併せて配信サーバへ送信してもよい。
【０１０２】  いずれの場合も、店頭端末９０は、ユーザが購入予定の商品の商品識別情報を読み取る商品識別情報読取手段（例えば、商品識別情報入力部１１）を含んでいてもよい。
【０１０３】  また、携帯端末８０は、ユーザが購入予定の商品の商品識別情報を表示する商品識別情報表示手段（例えば、商品識別情報表示部２５）を含んでいてもよい。
【０１０４】  また、携帯端末８０は、第一識別情報を登録するための登録画面を表示する登録手段（例えば、ユーザ端末情報登録部２４）を含んでいてもよい。そして、登録手段は、登録画面に入力された第一識別情報を記憶部８１に記憶してもよい。
【０１０５】  また、店頭端末９０は、商品が購入済みであることを識別する認証情報を受け付ける認証情報受付手段（例えば、購入認証情報入力部１２）を含んでいてもよい。そして、店頭端末９０の制御部９１は、認証情報が入力された場合に商品の商品識別情報を発行サーバに送信してもよい。そのような構成によれば、不正な購入許可情報の出力を抑制できる。
【符号の説明】
【０１０６】  １０，３０，３０ａ，３０ｂ  店頭端末  １１，１１ｂ  商品識別情報入力部  １２  購入認証情報入力部  １３  購入許可情報生成部  １４  購入許可情報出力部  ２０，４０，４０ｂ  携帯端末  ２１  購入許可情報入力部  ２２，３２，３２ａ  配信識別情報送信部  ２３  記憶部  ２４  ユーザ端末情報登録部  ２５，２５ｂ  商品識別情報表示部  ３１  ユーザ端末情報入力部  ４１  ユーザ端末情報出力部  ５０，５０ａ  配信サーバ  ５１  記憶部  ５２，５２ａ  制御部  ６０  情報処理装置
【図１】
2016157242.tif 000003
【図２】
2016157242.tif 000004
【図３】
2016157242.tif 000005
【図４】
2016157242.tif 000006
【図５】
2016157242.tif 000007
【図６】
2016157242.tif 000008
【図７】
2016157242.tif 000009
【図８】
2016157242.tif 000010
【図９】
2016157242.tif 000011
【図１０】
2016157242.tif 000012
【図１１】
2016157242.tif 000013
【図１２】
2016157242.tif 000014
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
通信回線を通じて送受信可能な商品をユーザが利用する情報処理装置に配信する配信システムであって、
ユーザまたは当該ユーザが利用する情報処理装置を識別する第一識別情報を保持する記憶部を含む携帯端末と、
商品を識別する商品識別情報を受信して当該商品が購入可能になったことを示す第二識別情報を発行する発行サーバに対して、ユーザによって商品が購入されたことを検知したときに当該商品を識別する商品識別情報を送信して、前記発行サーバからの第二識別情報を受信する制御部を含む店頭端末と、
前記第一識別情報および前記第二識別情報を受信して当該第一識別情報により特定される情報処理装置に当該第二識別情報により特定される商品を配信する配信サーバに対して、前記第一識別情報と前記第二識別情報とを併せて送信する識別情報送信手段とを備えた
ことを特徴とする配信システム。
【請求項２】
識別情報送信手段が携帯端末に含まれ、
店頭端末は、第二識別情報を出力する第二識別情報出力手段を含み、
前記携帯端末は、前記店頭端末から出力された第二識別情報を前記識別情報送信手段へ入力する第二識別情報入力手段を含み、
前記識別情報送信手段は、記憶部が保持する第一識別情報と入力された第二識別情報とを併せて配信サーバへ送信する
請求項１記載の配信システム。
【請求項３】
第二識別情報出力手段は、第二識別情報を印刷して出力し、
第二識別情報入力手段は、出力された第二識別情報を読み取る
請求項２記載の配信システム。
【請求項４】
識別情報送信手段が店頭端末に含まれ、
携帯端末は、第一識別情報を出力する第一識別情報出力手段を含み、
前記店頭端末は、前記携帯端末から出力された第一識別情報を入力する第一識別情報入力手段を含み、
前記識別情報送信手段は、第二識別情報と入力された第一識別情報とを併せて配信サーバへ送信する
請求項１記載の配信システム。
【請求項５】
店頭端末は、ユーザが購入予定の商品の商品識別情報を読み取る商品識別情報読取手段を含む
請求項１から請求項４のうちのいずれか１項に記載の配信システム。
【請求項６】
携帯端末は、ユーザが購入予定の商品の商品識別情報を表示する商品識別情報表示手段を含む
請求項１から請求項５のうちのいずれか１項に記載の配信システム。
【請求項７】
携帯端末は、第一識別情報を登録するための登録画面を表示する登録手段を含み、
前記登録手段は、前記登録画面に入力された第一識別情報を記憶部に記憶する
請求項１から請求項６のうちのいずれか１項に記載の配信システム。
【請求項８】
店頭端末は、商品が購入済みであることを識別する認証情報を受け付ける認証情報受付手段を含み、
店頭端末の制御部は、前記認証情報が入力された場合に、前記商品の商品識別情報を発行サーバに送信する
請求項１から請求項７のうちのいずれか１項に記載の配信システム。
【請求項９】
通信回線を通じて送受信可能な商品をユーザが利用する情報処理装置に配信する配信方法であって、
ユーザまたは当該ユーザが利用する情報処理装置を識別する第一識別情報を保持する携帯端末が、当該第一識別情報を識別情報送信手段に入力し、
店頭端末が、商品を識別する商品識別情報を受信して当該商品が購入可能になったことを示す第二識別情報を発行する発行サーバに対して、ユーザによって商品が購入されたことを検知したときに当該商品を識別する商品識別情報を送信して、前記発行サーバからの第二識別情報を受信し、
前記店頭端末が、前記第二識別情報を前記識別情報送信手段に入力し、
前記識別情報送信手段が、前記第一識別情報および前記第二識別情報を受信して当該第一識別情報により特定される情報処理装置に当該第二識別情報により特定される商品を配信する配信サーバに対して、前記第一識別情報と前記第二識別情報とを併せて送信する
ことを特徴とする配信方法。
【請求項１０】
通信回線を通じて送受信可能な商品をユーザが利用する情報処理装置に配信する指示を行うコンピュータに適用される配信指示プログラムであって、
前記コンピュータに、
ユーザまたは当該ユーザが利用する情報処理装置を識別する第一識別情報を保持する携帯端末から、当該第一識別情報を受信する第一識別情報受信処理、
商品を識別する商品識別情報を受信して当該商品が購入可能になったことを示す第二識別情報を発行する発行サーバに対して、ユーザによって商品が購入されたことを検知したときに当該商品を識別する商品識別情報を送信して、前記発行サーバからの第二識別情報を受信する店頭端末から、当該第二識別情報を受信する第二識別情報受信処理、および、
前記第一識別情報により特定される情報処理装置に前記第二識別情報により特定される商品を配信する配信サーバに対して、受信した第一識別情報および第二識別情報を併せて送信する識別情報送信処理
を実行させるための配信指示プログラム。
【国際調査報告】
2016157242.tif 000015
2016157242.tif 000016
2016157242.tif 000017
2016157242.tif 000018